(57)【要約】【課題】電気錠本体の解錠コード不明時に備えて電子マスタキーを用意することなく、また、電気錠本体にはマスタコード（共通解錠コード）を記憶させることなく、しかし、該リモコンでの操作によって、電気錠本体が具備する錠機構を解錠し得る電気錠システムを提供する。【解決手段】電子錠本体７に貼ってある解錠コード記載ラベル９が剥がれるなどして解錠コードがが不明となったときは、電子錠本体７は、リモコン１からの要求に応じて質問データ６ａを送信し、リモコン１は、前記質問データ６ａへの回答情報を送信し、電子錠本体７は、前記回答情報を正解データ６ｂと照合して、錠機構１０の解錠の判断をする構成とする。【選択図】    図１
2004225514.tif 000002
【特許請求の範囲】
【請求項１】
電気錠本体へ情報を送信するリモコンと、
前記リモコンの入力部と、
自身の解錠コードを視認し得る状態である前記電気錠本体と、
前記電気錠本体が内蔵する錠機構と、
記憶してある質問情報を出力するとともに、前記リモコンから受信する情報を認証して前記錠機構の解錠を制御する電気錠本体の制御部と、
前記リモコンまたは前記電気錠本体のいずれか一方もしくは両方が具備する、前記質問情報を外部出力する質問出力手段と、
を具備する電気錠システム。
【請求項２】
前記錠機構は、前記電気錠本体が有する保管庫の錠機構である、請求項１記載の電気錠システム。
【請求項３】
前記電気錠本体は、シャックルを有し、前記シャックルは、錠機構を具備し、その錠機構は、前記制御部の制御下にあるものである、請求項２記載の電気錠システム。
【請求項４】
前記リモコンは、その構成要素として携帯端末を含む、請求項１記載、請求項２記載または請求項３記載の電気錠システム。
【発明の詳細な説明】
【０００１】
【発明の属する技術分野】
本発明は、電気錠本体に解錠コードが表示されており、錠機構を有する電気錠本体と、前記電気錠本体に情報を送信して前記錠機構を解錠させるリモコンと、を含む電気錠システムに関する。
【０００２】
【従来の技術】
マンション、アパートなどの賃貸／売却物件のドアノブなどに例えばシャックルにてぶら下げておく電気錠本体（電子錠本体）と、リモコンと、を具備する電気錠システムが知られている。各電気錠本体は、鍵などを保管する錠付き保管庫を有し、解錠のための情報、すなわち解錠コードを表示している。解錠コードを表示するというのは、解錠コードとして、例えば３５７、２４９などと記載してあるシールを、各電気錠本体にそれぞれ貼るなどする、ということである。リモコンを所持する者は、このシールに記載してあるその電気錠本体の解錠コードを見て、リモコンでその解錠コードを電気錠本体に送信し、該電気錠本体の保管庫を開けて、ドアの鍵を取り出し、顧客をその賃貸／売却物件の部屋に案内することができる。担当者、すなわちリモコンを所持する者は、電気錠本体毎に異なる解錠コードを、一々、覚えたり、メモしたりする必要がないので、便利である。しかし、何らかの理由、例えば、いたずらなどで、電気錠本体に貼ってあるそのシールが剥がれたり、破損したりして、解錠コードが不明になると、その電気錠本体をリモコンで解錠することができなくなる。
【０００３】
こういうときのために、電気錠システムに、いわゆるマスタキーを導入することが、当然、考えられる。
リモコン（電子キーとも言う）で電気錠本体に解錠情報を送信して、該電気錠本体を解錠する電気（符号）錠システムないし電子（符号）錠システムにおいて、リモコンを紛失したり、前記解錠情報を紛失したりしたときのために、いわゆるマスタキーを用意することが知られている。すなわち、（全）電気錠本体に共通のマスタコードを記憶させ、特定のもしくは全部のリモコンから前記マスタコードを解錠情報として送信可能な構成とするやり方である。
電気錠システムにマスターキーを導入した技術については、例えば特開２０００−３２０２１１号公報に開示されている。
しかし、電気錠システムにマスタ電子キーを用意すると、セキリュティ度が低下するという問題が生じる。何らかの事情でマスタコードが外部に漏れると、リモコンを所持するものであれば誰でも、そのマスタコードで、マスタコードを記憶する全ての電気錠本体を解錠できるからである。
【０００４】
【特許文献１】
特開２０００−３２０２１１号公報
【０００５】
【発明が解決しようとする課題】
本発明に係る電気錠システムは、上記した従来の技術が有する問題点に鑑み成されたものであり、次の課題を解決することを目的とする。
リモコンと電気錠本体とを含む電気錠システムにおいて、電気錠本体の解錠コード不明時に備えて電子マスタキーを用意することなく、また、リモコン及び電気錠本体にはマスタコード（共通解錠コード）を記憶させることなく、すなわちセキリュティ度を保ったまま、しかし、該リモコンでの操作によって、電気錠本体が具備する錠機構を解錠し得る電気錠システムを提供する。
【０００６】
【課題を解決するための手段】
上記課題を解決するための本発明の第１発明は、請求項１に記載されたとおりの電気錠システムであり、次のようなものである。
電気錠本体へ情報を送信するリモコンと、前記リモコンの入力部と、
自身の解錠コードを視認し得る状態である前記電気錠本体と、前記電気錠本体が内蔵する錠機構と、記憶してある質問情報を出力するとともに、前記リモコンから受信する情報を認証して前記錠機構の解錠を制御する電気錠本体の制御部と、前記リモコンまたは前記電気錠本体のいずれか一方もしくは両方が具備する、前記質問情報を外部出力する質問出力手段と、を具備する。
【０００７】
上記課題を解決するための本発明の第２発明は、請求項２に記載されたとおりの電気錠システムであり、次のようなものである。
請求項１記載の電気錠システムにおいて、前記錠機構は、前記電気錠本体が有する保管庫の錠機構である構成である。
【０００８】
上記課題を解決するための本発明の第３発明は、請求項３に記載されたとおりの電気錠システムであり、次のようなものである。
請求項２記載の電気錠システムにおいて、前記電気錠本体は、シャックルを有し、前記シャックルは、錠機構を具備し、その錠機構は、前記制御部の制御下にあるものである。
【０００９】
上記課題を解決するための本発明の第４発明は、請求項４に記載されたとおりの電気錠システムであり、次のようなものである。
請求項１記載、請求項２記載または請求項３記載の電気錠システムにおいて、前記リモコンは、その構成要素として携帯端末を含む構成である。
【００１０】
【発明の実施の形態】
図１は、本発明に係わる電気錠システムの実施の一形態を示すブロック図である。
電気錠システムは、リモコン１及び電子錠本体７を含む。リモコン１は、解錠コード、すなわち電子錠本体７の錠機構１０を解錠するための識別符号ないし暗証番号を入力するための入力部２を具備している。この入力部２には、例えばテンキーを使用する。
電子錠本体７は、保管庫１０ａを備えており、その保管庫１０ａは、錠機構１０を有している。また、電子錠本体７は、ドアノブなどに取り付けるためのシャックル１１を有していてもよく、そのシャックル１１も錠機構を備える構成でもよい。電子錠本体７は、マンション、アパート、一戸建てのような不動産物件のドアノブに取り付けるのが通常の使い方である。
また、電子錠本体７は、自身の解錠コードを目に見えるかたちで表示している。そのために、例えば、解錠コードを記載したシールを電子錠本体７の適当な部位に貼る。解錠コード記載ラベル９がそのシールであり、例えば０３８と記入されている。この０３８は、十進数で表示することが望ましく、ここでは、０３８は十進数であるものとする。すなわち、この電子錠本体７の識別コードないし解錠コードは、「０３８」である。
リモコン１を所持する者、通常、営業担当者は、解錠コード記載ラベル９を見て、「０３８」を入力部２から入力する。ＣＰＵ３は、情報「０３８」を受け取り、メモリ５を参照して十進数で「０３８」を意味するデータを、例えばＢＣＤコードの「００００００１１１０００」へと変換する。通信装置１４は、ＣＰＵ３から受け取った「００００」「００１１」「１０００」すなわち続けて書けば「００００００１１１０００」というデータを電子錠本体７の制御部８へ送信する。この送信は、有線によるものでも無線によるものでもどちらでもよい。
制御部８（が具備する記憶部、図示せず）は、十進数で表現すると０３８、実際にはＢＣＤコードで「００００００１１１０００」と表される解錠コード（図示せず）を記憶しているので、受信した「００００００１１１０００」と記憶している「００００００１１１０００」とを照合し、その結果によって、錠機構１０を解錠したり、解錠を許可しなかったりの制御を行なう。
本発明の電気錠システムは、このような構成である。
【００１１】
ここで、何らかの理由で、電子錠本体７に貼ってある解錠コード記載ラベル９が剥がれて解錠コードが「０３８」であるという情報が失われたとする。電子錠本体７の錠機構１０を開けるためには、リモコン１側の入力部２に「０、３、８」と打ち込まなければならないが、しかし、それはできない。こうなると、手の打ち用がなくなる。電気錠システムのメーカの人間を現場に呼んだとしても、電子錠本体７が記憶している解錠コード（図示せず）が十進数で表現するなら「０３８」、ＢＣＤコードでは「００００００１１１０００」であることを、電子錠本体７から読み出すことは容易ではない。
そこで、本発明ではこのような事態に備えて、電子錠本体７からリモコン１側に質問情報ないし質問データを出力させ、リモコン１がその質問データに対する回答情報を送信することにより、電子錠本体７の錠機構１０を解錠させる構成とした。
リモコン１は、所定のコマンドを入力部２に打ち込み、電子錠本体７に質問情報の出力を要求する。電子錠本体７（の制御部８）は、それに応えて、予め記憶している質問データ６ａを送信する。リモコン１の通信装置１４は、その質問データを受信し、ＣＰＵ３は、表示部４ａに該質問情報を表示する。例えば、「エイギヨウシヨノデンワバンゴウシモサンケタヲニユウリヨクシテクダサイ」と表示する。なお、表示部４ａに表示させる質問情報は、ひらがなで表現してもよく、漢字を混ぜてもよい。また、制御部８に記憶させておく質問データ６ａは、当業者が自分の考えで定めるものであり、極端に言えば何でもよい。例えば、「シヤチヨウのオクサンのナマエハ？」でもよい。
リモコン１は、受信表示した該質問情報に対する回答情報を電子錠本体７へ送信する。例えば、営業所の電話番号下三桁が「３７３」であるなら、「３７３」を意味するデータを入力部２で打ち込んで通信装置１４から送信する。
制御部８の正解データ６ｂには、「３７３」を意味するデータが、例えばＢＣＤコードで記憶させてあるので、制御部８は、照合を行ない、錠機構１０を解錠する。よって、解錠コード記載ラベル９が剥がれて、解錠コードが不明となっても、電気錠システムのメーカの人間を呼んだり、リモコン１とは別の電子マスタキーを予め用意しておくなどする必要がない。
なお、電子錠本体７が質問データを何回出力し、回答情報を何回受信して、正解データ６ｂとの照合を何回行なうかは、当業者の設計上の選択事項である。
図２は、本発明に係わる電気錠システムの実施の一形態を示すブロック図である。
例えば、図１に示す質問データに対する回答情報を照合した後、制御部８は、図２のように「トリヒキギヨウトウロクバンゴウヲニユウリヨクシテクダサイ」と、２番目の質問データを発してもよい。電子錠本体７（の制御部８）は、この質問データの回答を受信・照合してから、錠機構１０を解錠するものとする。
【００１２】
図３は、本発明に係わる電気錠システムの別の実施の一形態を示すブロック図である。
電子錠本体７には、シャックル１１にも錠機構１１ａを設ける構成とすることができる。図２で示す質問情報を照合の後に、電子錠本体７は、シャックル１１を解錠するか、保管庫１０ａを解錠するか、リモコン１側に質問することが可能である。もちろん、リモコン１が、入力部２で打ち込む所定のコマンドでもって、シャックル１１を解錠するか、錠機構１０を解錠するか、電子錠本体７に指示するシステム構成としてもよい。
【００１３】
図４は、リモコンに携帯電話機を利用する本発明に係わる電気錠システムの実施の一形態を示すブロック図である。
本発明に係る電気錠システムのリモコンは、携帯（通信）端末をその構成要素に含むことができる。ここでは、携帯端末として、携帯電話機を使用する例で説明する。
リモコン１は、携帯電話機１２とそれに接続する送信ユニット１３で構成してもよい。携帯電話機１２が具備するデータ通信端子（図示せず）に送信ユニット１３を接続し、携帯電話機１２の入力部２で、電子錠本体７へ送信する情報を入力する。また、質問データ６ａの出力部は、電子錠本体７側に設けてもよく、リモコン１と電子錠本体７の両方に設けてもよい。例えば、スピーカ４ｂを電子錠本体に設け、そのスピーカ４ｂから質問データを出力してもよい。リモコン１を所持する者は、スピーカから流れる質問情報を聞き、入力部でその回答を打ち込む。携帯電話機の制御手段３ａは、その回答情報を送信ユニット１３のＣＰＵ３へ伝送し、ＣＰＵ３は、必要ならメモリ５を参照するなどして、該回答情報のデータ変換を行ない、通信装置１４を介して回答情報を電子錠本体７の制御部８へ送信する。制御部８は、正解データ６ｂを参照して受信した回答情報の照合を行ない、錠機構１０を解錠することができる。
【００１４】
【発明の効果】
本発明に係る電気錠システムは、以上説明してきたような構成であるので、以下に記載する効果を奏する。
リモコンと電気錠本体とを含む電気錠システムにおいて、電気錠本体の解錠コード不明時に備えて電子マスタキーを用意する必要がなくなった。従って、また、リモコン及び電気錠本体にはマスタコード（共通解錠コード）を記憶させる必要もない。すなわち、マスタコードの流出の心配がない。
それゆえに、電気錠本体に表示してある解錠コードが不明となっても、セキリュティ度を保ったまま、通常のリモコンでの操作によって、電気錠本体が具備する錠機構を解錠し得る電気錠システムを提供することが可能となった。
【図面の簡単な説明】
【図１】本発明に係わる電気錠システムの実施の一形態を示すブロック図である。
【図２】本発明に係わる電気錠システムの実施の一形態を示すブロック図である。
【図３】本発明に係わる電気錠システムの別の実施の一形態を示すブロック図である。
【図４】リモコンに携帯電話機を利用する本発明に係わる電気錠システムの実施の一形態を示すブロック図である。
【符号の説明】
１  リモコン
２  入力部
３  ＣＰＵ
３ａ  制御手段
４ａ  表示部
４ｂ  スピーカ
５  メモリ
６ａ  質問データ
６ｂ  正解データ
７  電子錠本体
８  制御部
９  解錠コード記載ラベル
１０  錠機構
１０ａ  保管庫
１１  シャックル
１１ａ  錠機構
１２  携帯電話機
１３  送信ユニット
１４  通信装置
【図１】
2004225514.tif 000003
【図２】
2004225514.tif 000004
【図３】
2004225514.tif 000005
【図４】
2004225514.tif 000006